(57)【要約】【課題】表示対象信号に基づく信号波形と、表示対象信号に関する文字情報との関連付けを誤認させることなく、これらを迅速かつ容易に視認させる。【解決手段】表示対象信号に基づく信号波形Ｗ１〜Ｗ４と、表示対象信号に関する予め規定された文字情報ｉ１〜ｉ４とを相互に関連付けて波形表示画面１１に表示させる表示制御部を備え、表示制御部が、波形表示画面１１に表示させる信号波形Ｗ１，Ｗ４において対応する表示対象信号がＨｉレベルに上昇するとの条件Ａを満たす部位が存在するときに条件Ａを満たす部位の近傍の規定位置に文字情報ｉ１，ｉ４を表示させる表示処理Ａと、波形表示画面１１に表示させる信号波形Ｗ２，Ｗ３において対応する表示対象信号がＬｏｗレベルに低下するとの条件Ｂを満たす部位が存在するときに条件Ｂを満たす部位の近傍の規定位置に文字情報ｉ２，ｉ３を表示させる表示処理Ｂとを実行する。【選択図】図５
2014066627.tif 000002
【特許請求の範囲】
【請求項１】
表示対象信号に基づく信号波形と、前記表示対象信号に関する予め規定された文字情報とを相互に関連付けて波形表示画面に表示させる表示制御部を備えた波形表示装置であって、
前記表示制御部は、前記波形表示画面に表示させる前記信号波形において対応する前記表示対象信号の信号レベルが予め規定されたハイレベルに上昇するとの条件Ａを満たす部位が存在するときに当該条件Ａを満たす部位の近傍の予め規定された表示位置Ａに当該表示対象信号に関する前記文字情報を表示させる表示処理Ａと、前記波形表示画面に表示させる前記信号波形において対応する前記表示対象信号の信号レベルが予め規定されたローレベルに低下するとの条件Ｂを満たす部位が存在するときに当該条件Ｂを満たす部位の近傍の予め規定された表示位置Ｂに当該表示対象信号に関する前記文字情報を表示させる表示処理Ｂとのうちの少なくとも一方を実行する波形表示装置。
【請求項２】
前記表示制御部は、前記表示処理Ａに際して前記波形表示画面に表示させる前記信号波形に前記条件Ａを満たす部位が複数存在するときに当該複数の部位のうちの時間軸方向における最先の部位の近傍を前記表示位置Ａとして前記文字情報を表示させ、前記表示処理Ｂに際して前記波形表示画面に表示させる前記信号波形に前記条件Ｂを満たす部位が複数存在するときに当該複数の部位のうちの時間軸方向における最先の部位の近傍を前記表示位置Ｂとして前記文字情報を表示させる請求項１記載の波形表示装置。
【請求項３】
表示対象信号に基づく信号波形と、前記表示対象信号に関する予め規定された文字情報とを相互に関連付けて波形表示画面に表示させる表示制御部を備えた波形表示装置であって、
前記表示制御部は、前記波形表示画面に表示させる前記信号波形において対応する前記表示対象信号の信号レベルが予め規定された第１信号レベル以上に上昇するとの第１条件を満たす部位が存在するときに当該第１条件を満たす部位の近傍の予め規定された第１表示位置に当該表示対象信号に関する前記文字情報を表示させる第１表示処理と、前記波形表示画面に表示させる前記信号波形において対応する前記表示対象信号の信号レベルが予め規定された第２信号レベル以下に低下するとの第２条件を満たす部位が存在するときに当該第２条件を満たす部位の近傍の予め規定された第２表示位置に当該表示対象信号に関する前記文字情報を表示させる第２表示処理とのうちの少なくとも一方を実行する波形表示装置。
【請求項４】
前記表示制御部は、前記第１表示処理に際して前記波形表示画面に表示させる前記信号波形に前記第１条件を満たす部位が複数存在するときに当該複数の部位のうちの時間軸方向における最先の部位の近傍を前記第１表示位置として前記文字情報を表示させ、前記第２表示処理に際して前記波形表示画面に表示させる前記信号波形に前記第２条件を満たす部位が複数存在するときに当該複数の部位のうちの時間軸方向における最先の部位の近傍を前記第２表示位置として前記文字情報を表示させる請求項３記載の波形表示装置。
【請求項５】
表示対象信号に基づく信号波形と、前記表示対象信号に関する予め規定された文字情報とを相互に関連付けて波形表示画面に表示させる波形表示方法であって、
前記波形表示画面に表示させる前記信号波形において対応する前記表示対象信号の信号レベルが予め規定されたハイレベルに上昇するとの条件Ａを満たす部位が存在するときに当該条件Ａを満たす部位の近傍の予め規定された表示位置Ａに当該表示対象信号に関する前記文字情報を表示させる表示処理Ａと、前記波形表示画面に表示させる前記信号波形において対応する前記表示対象信号の信号レベルが予め規定されたローレベルに低下するとの条件Ｂを満たす部位が存在するときに当該条件Ｂを満たす部位の近傍の予め規定された表示位置Ｂに当該表示対象信号に関する前記文字情報を表示させる表示処理Ｂとのうちの少なくとも一方を実行する波形表示方法。
【請求項６】
表示対象信号に基づく信号波形と、前記表示対象信号に関する予め規定された文字情報とを相互に関連付けて波形表示画面に表示させる波形表示方法であって、
前記波形表示画面に表示させる前記信号波形において対応する前記表示対象信号の信号レベルが予め規定された第１信号レベル以上に上昇するとの第１条件を満たす部位が存在するときに当該第１条件を満たす部位の近傍の予め規定された第１表示位置に当該表示対象信号に関する前記文字情報を表示させる第１表示処理と、前記波形表示画面に表示させる前記信号波形において対応する前記表示対象信号の信号レベルが予め規定された第２信号レベル以下に低下するとの第２条件を満たす部位が存在するときに当該第２条件を満たす部位の近傍の予め規定された第２表示位置に当該表示対象信号に関する前記文字情報を表示させる第２表示処理とのうちの少なくとも一方を実行する波形表示方法。
【発明の詳細な説明】
【技術分野】
【０００１】
本発明は、表示対象信号に基づく信号波形と表示対象信号に関する文字情報とを相互に関連付けて波形表示画面に表示させる波形表示装置および波形表示方法に関するものである。
【背景技術】
【０００２】
この種の波形表示装置および波形表示方法として、出願人は、特許第３１１７７９９号公報においてロジック波形を表示可能な表示装置、およびロジック波形の表示方法を開示している。この表示装置および表示方法では、入力された波形データをＲＡＭに記憶させると共に、ＣＰＵがＲＡＭに記憶させた波形データに基づくロジック波形をＣＲＴに表示させる構成・方法が採用されている。この場合、出願人が開示している表示装置および表示方法では、図８に示すように、ＣＲＴの表示画面内にＣＨ１〜ＣＨ８の８チャンネル分のロジック波形をそれぞれ表示させる横長帯状の８つの表示領域が上下方向に並んで規定されると共に、いずれのチャンネルの波形データに基づくロジック波形を表示しているかを特定させるための「ＣＨ１」〜「ＣＨ８」との文字情報（以下、この文字情報を「チャンネル番号表示」ともいう）が各表示領域の左横（各表示領域の外）にそれぞれ表示される構成・方法が採用されている。これにより、各チャンネル毎のロジック波形を観察して、対応する波形データがどのように変化しているかを特定することが可能となっている。
【先行技術文献】
【特許文献】
【０００３】
【特許文献１】特許第３１１７７９９号公報（第２−３頁、第１−４図）
【発明の概要】
【発明が解決しようとする課題】
【０００４】
ところが、出願人が開示している表示装置および表示方法には、以下の改善すべき課題が存在する。すなわち、この表示装置および表示方法では、各チャンネル毎の波形データに基づくロジック波形を表示させる表示領域毎にチャンネル番号表示を左横にそれぞれ表示させる構成・方法が採用されている。この場合、この表示装置・表示装置では、各表示領域の左横にチャンネル番号表示が固定的に表示される構成・方法が採用されている。したがって、例えば、図８に示す例におけるＣＨ４〜ＣＨ６の波形データに基づくロジック波形のように、波形の変化部位が表示領域の右寄りに位置する場合に、利用者が、表示画面（表示領域）の右寄りの部位を見てロジック波形に変化部位が存在するのを認識したときに、表示画面の左側に視線を移動させて、表示領域の左横に表示されているチャンネル番号表示を読み取ることにより、変化部位が存在するロジック波形がいずれのチャンネルの波形データに基づくロジック波形であるかを特定することとなる。
【０００５】
このため、この表示装置および表示方法では、いずれかの表示領域内に表示されているロジック波形の変化部位（表示画面の右寄り）からその表示領域に対応するチャンネル番号表示の表示部位（表示画面の左寄り）に視線を移動させている最中に視線が上下方向に移動して、他の表示領域に対応して表示されているチャンネル番号表示を読み取ってしまうおそれがあり、変化部位が存在するロジック波形がいずれのチャンネルの波形データに基づくロジック波形であるかを誤認するおそれがある。したがって、この点を改善するのが好ましい。
【０００６】
なお、この種の波形表示装置および波形表示装置では、出願人が開示している表示装置および表示方法とは異なり、信号波形の表示領域内における規定位置（例えば、表示領域内の左寄り）にチャンネル番号表示を表示させる構成・方法が採用されたものや、各信号波形の表示色や線種を互いに異ならせると共に、いずれの表示色（または、線種）の信号波形がいずれのチャンネルの波形データに基づく信号波形であるかの対応関係を示す対応関係表示を信号波形とは別個に表示画面内に表示させる構成・方法が採用されたものが存在する。しかしながら、これらの構成・方法においても、信号波形において着目すべき部位と、チャンネル番号表示等の文字情報等の表示部位とが離れている場合には、上記の出願人が開示している表示装置および表示方法に存在する課題と同様の問題が生じることとなる。
【０００７】
本発明は、かかる課題に鑑みてなされたものであり、表示対象信号に基づく信号波形と、表示対象信号に関する文字情報との関連付けを誤認させることなく、これらを迅速かつ容易に視認させ得る波形表示装置および波形表示方法を提供することを主目的とする。
【課題を解決するための手段】
【０００８】
上記目的を達成すべく請求項１記載の波形表示装置は、表示対象信号に基づく信号波形と、前記表示対象信号に関する予め規定された文字情報とを相互に関連付けて波形表示画面に表示させる表示制御部を備えた波形表示装置であって、前記表示制御部は、前記波形表示画面に表示させる前記信号波形において対応する前記表示対象信号の信号レベルが予め規定されたハイレベルに上昇するとの条件Ａを満たす部位が存在するときに当該条件Ａを満たす部位の近傍の予め規定された表示位置Ａに当該表示対象信号に関する前記文字情報を表示させる表示処理Ａと、前記波形表示画面に表示させる前記信号波形において対応する前記表示対象信号の信号レベルが予め規定されたローレベルに低下するとの条件Ｂを満たす部位が存在するときに当該条件Ｂを満たす部位の近傍の予め規定された表示位置Ｂに当該表示対象信号に関する前記文字情報を表示させる表示処理Ｂとのうちの少なくとも一方を実行する。
【０００９】
また、請求項２記載の波形表示装置は、請求項１記載の波形表示装置において、前記表示制御部は、前記表示処理Ａに際して前記波形表示画面に表示させる前記信号波形に前記条件Ａを満たす部位が複数存在するときに当該複数の部位のうちの時間軸方向における最先の部位の近傍を前記表示位置Ａとして前記文字情報を表示させ、前記表示処理Ｂに際して前記波形表示画面に表示させる前記信号波形に前記条件Ｂを満たす部位が複数存在するときに当該複数の部位のうちの時間軸方向における最先の部位の近傍を前記表示位置Ｂとして前記文字情報を表示させる。
【００１０】
また、請求項３記載の波形表示装置は、表示対象信号に基づく信号波形と、前記表示対象信号に関する予め規定された文字情報とを相互に関連付けて波形表示画面に表示させる表示制御部を備えた波形表示装置であって、前記表示制御部は、前記波形表示画面に表示させる前記信号波形において対応する前記表示対象信号の信号レベルが予め規定された第１信号レベル以上に上昇するとの第１条件を満たす部位が存在するときに当該第１条件を満たす部位の近傍の予め規定された第１表示位置に当該表示対象信号に関する前記文字情報を表示させる第１表示処理と、前記波形表示画面に表示させる前記信号波形において対応する前記表示対象信号の信号レベルが予め規定された第２信号レベル以下に低下するとの第２条件を満たす部位が存在するときに当該第２条件を満たす部位の近傍の予め規定された第２表示位置に当該表示対象信号に関する前記文字情報を表示させる第２表示処理とのうちの少なくとも一方を実行する。
【００１１】
また、請求項４記載の波形表示装置は、請求項３記載の波形表示装置において、前記表示制御部は、前記第１表示処理に際して前記波形表示画面に表示させる前記信号波形に前記第１条件を満たす部位が複数存在するときに当該複数の部位のうちの時間軸方向における最先の部位の近傍を前記第１表示位置として前記文字情報を表示させ、前記第２表示処理に際して前記波形表示画面に表示させる前記信号波形に前記第２条件を満たす部位が複数存在するときに当該複数の部位のうちの時間軸方向における最先の部位の近傍を前記第２表示位置として前記文字情報を表示させる。
【００１２】
また、請求項５記載の波形表示方法は、表示対象信号に基づく信号波形と、前記表示対象信号に関する予め規定された文字情報とを相互に関連付けて波形表示画面に表示させる波形表示方法であって、前記波形表示画面に表示させる前記信号波形において対応する前記表示対象信号の信号レベルが予め規定されたハイレベルに上昇するとの条件Ａを満たす部位が存在するときに当該条件Ａを満たす部位の近傍の予め規定された表示位置Ａに当該表示対象信号に関する前記文字情報を表示させる表示処理Ａと、前記波形表示画面に表示させる前記信号波形において対応する前記表示対象信号の信号レベルが予め規定されたローレベルに低下するとの条件Ｂを満たす部位が存在するときに当該条件Ｂを満たす部位の近傍の予め規定された表示位置Ｂに当該表示対象信号に関する前記文字情報を表示させる表示処理Ｂとのうちの少なくとも一方を実行する。
【００１３】
また、請求項６記載の波形表示方法は、表示対象信号に基づく信号波形と、前記表示対象信号に関する予め規定された文字情報とを相互に関連付けて波形表示画面に表示させる波形表示方法であって、前記波形表示画面に表示させる前記信号波形において対応する前記表示対象信号の信号レベルが予め規定された第１信号レベル以上に上昇するとの第１条件を満たす部位が存在するときに当該第１条件を満たす部位の近傍の予め規定された第１表示位置に当該表示対象信号に関する前記文字情報を表示させる第１表示処理と、前記波形表示画面に表示させる前記信号波形において対応する前記表示対象信号の信号レベルが予め規定された第２信号レベル以下に低下するとの第２条件を満たす部位が存在するときに当該第２条件を満たす部位の近傍の予め規定された第２表示位置に当該表示対象信号に関する前記文字情報を表示させる第２表示処理とのうちの少なくとも一方を実行する。
【発明の効果】
【００１４】
請求項１記載の波形表示装置、および請求項５記載の波形表示方法によれば、波形表示画面に表示させる信号波形において条件Ａを満たす部位が存在するときに条件Ａを満たす部位の近傍の予め規定された表示位置Ａに表示対象信号に関する文字情報を表示させる表示処理Ａと、波形表示画面に表示させる信号波形において条件Ｂを満たす部位が存在するときに条件Ｂを満たす部位の近傍の予め規定された表示位置Ｂに表示対象信号に関する文字情報を表示させる表示処理Ｂとのうちの少なくとも一方を実行することにより、信号波形における条件Ａを満たす部位や、信号波形における条件Ｂを満たす部位が波形表示画面内のいずれに位置したとしても、この条件Ａを満たす部位や条件Ｂを満たす部位の近傍に文字情報が表示されるため、信号波形において条件Ａを満たす部位や条件Ｂを満たす部位から大きく視線を移動させることなく文字情報を視認させることができる結果、信号波形と文字情報との関連付けを誤認させることなく、これらを容易に認識させることができる。
【００１５】
また、請求項２記載の波形表示装置によれば、表示処理Ａに際して波形表示画面に表示させる信号波形に条件Ａを満たす部位が複数存在するときに複数の部位のうちの時間軸方向における最先の部位の近傍に文字情報を表示させ、表示処理Ｂに際して波形表示画面に表示させる信号波形に条件Ｂを満たす部位が複数存在するときに複数の部位のうちの時間軸方向における最先の部位の近傍に文字情報を表示させることにより、時間軸方向の最先の位置から最新の位置に向かって信号波形を視認することが多い波形表示画面において、信号波形と文字情報との関係をスムーズに認識させることができる。
【００１６】
また、請求項３記載の波形表示装置、および請求項６記載の波形表示方法によれば、波形表示画面に表示させる信号波形において第１条件を満たす部位が存在するときに第１条件を満たす部位の近傍の予め規定された第１表示位置に表示対象信号に関する文字情報を表示させる第１表示処理と、波形表示画面に表示させる信号波形において第２条件を満たす部位が存在するときに第２条件を満たす部位の近傍の予め規定された第２表示位置に表示対象信号に関する文字情報を表示させる第２表示処理とのうちの少なくとも一方を実行することにより、信号波形における第１条件を満たす部位や、信号波形における第２条件を満たす部位が波形表示画面内のいずれに位置したとしても、この第１条件を満たす部位や第２条件を満たす部位の近傍に文字情報が表示されるため、信号波形において第１条件を満たす部位や第２条件を満たす部位から大きく視線を移動させることなく文字情報を視認させることができる結果、信号波形と文字情報との関連付けを誤認させることなく、これらを容易に認識させることができる。
【００１７】
また、請求項４記載の波形表示装置によれば、第１表示処理に際して波形表示画面に表示させる信号波形に第１条件を満たす部位が複数存在するときに複数の部位のうちの時間軸方向における最先の部位の近傍に文字情報を表示させ、第２表示処理に際して波形表示画面に表示させる信号波形に第２条件を満たす部位が複数存在するときに複数の部位のうちの時間軸方向における最先の部位の近傍に文字情報を表示させることにより、時間軸方向の最先の位置から最新の位置に向かって信号波形を視認することが多い波形表示画面において、信号波形と文字情報との関係をスムーズに認識させることができる。
【図面の簡単な説明】
【００１８】
【図１】波形表示装置１の構成を示す構成図である。
【図２】信号波形Ｗ１〜Ｗ４および文字情報ｉ１〜ｉ４を相互に関連付けて波形表示画面１１内に表示させた状態の表示画面図である。
【図３】信号波形Ｗ１〜Ｗ４および文字情報ｉ１〜ｉ４を相互に関連付けて波形表示画面１１内に表示させた状態の他の表示画面図である。
【図４】信号波形Ｗ１〜Ｗ４および文字情報ｉ１〜ｉ４を相互に関連付けて波形表示画面１１内に表示させた状態のさらに他の表示画面図である。
【図５】信号波形Ｗ１〜Ｗ４および文字情報ｉ１〜ｉ４を相互に関連付けて波形表示画面１１内に表示させた状態のさらに他の表示画面図である。
【図６】信号波形Ｗ１〜Ｗ４および文字情報ｉ１〜ｉ４を相互に関連付けて波形表示画面１１内に表示させた状態のさらに他の表示画面図である。
【図７】信号波形Ｗ１ａ，Ｗ２ａおよび文字情報ｉ１，ｉ２を相互に関連付けて波形表示画面１１内に表示させた状態の表示画面図である。
【図８】出願人が開示している表示装置および表示方法におけるロジック波形の表示画面の一例を示す表示画面図である。
【発明を実施するための形態】
【００１９】
以下、波形表示装置および波形表示方法の実施の形態について、添付図面を参照して説明する。
【００２０】
図１に示す波形表示装置１は、「波形表示装置」の一例であって、後述する「波形表示方法」に従い、一例として、観察対象において送受信されている制御信号（ロジック信号）に基づく信号波形Ｗ１〜Ｗ４（ロジック波形：図２〜６参照：以下、区別しないときには「信号波形Ｗ」ともいう）を表示可能に構成されている。具体的には、この波形表示装置１は、測定部２、操作部３、表示部４、制御部５および記憶部６を備えて構成されている。
【００２１】
測定部２は、一例として、ＣＨ１〜ＣＨ４の４つの測定チャンネルを備えている。この測定部２は、制御部５の制御に従い、上記の制御信号を入力信号Ｓ１〜Ｓ４（「表示対象信号」の一例：以下、区別しないときには「入力信号Ｓ」ともいう）として受信して波形データＤ１〜Ｄ４（以下、区別しないときには「波形データＤ」ともいう）にアナログ−デジタル変換（以下、単に「変換」ともいう）して、変換した波形データＤを制御部５に出力する。なお、以下の説明においては、入力信号Ｓを波形データＤに変換して出力する処理を「測定処理」ともいう。操作部３は、波形表示装置１の動作条件を設定するための各種操作スイッチを備え、スイッチ操作に応じた操作信号を制御部５に出力する。
【００２２】
表示部４は、一例として液晶表示パネルを備えて構成されて、制御部５から出力される表示用データに基づき、波形表示装置１の動作条件を設定するための動作条件設定画面（図示せず）や、各信号波形Ｗを表示する波形表示画面１１（図２〜６参照）などを表示する。この場合、本例の波形表示装置１では、各測定チャンネル毎の信号波形Ｗ（各波形データＤに基づく信号波形Ｗ）を上下方向で並べて表示させる波形表示領域１２が上記の波形表示画面１１内に規定されると共に、信号波形Ｗ、および各信号波形Ｗの基となる入力信号Ｓに関する文字情報ｉ１〜ｉ４（本例では、入力信号Ｓを波形データＤに変換した測定チャンネルを示すチャンネル番号表示：以下、区別しないときには「文字情報ｉ」ともいう）が相互に関連付けられて波形表示領域１２内に表示される構成が採用されている。
【００２３】
制御部５は、波形表示装置１を総括的に制御する。具体的には、制御部５は、操作部３からの操作信号に応じて測定部２を制御して測定処理を実行させると共に、測定部２から出力される波形データＤを記憶部６に記憶させる。また、制御部５は、「表示制御部」に相当し、記憶部６に記憶させた波形データＤに基づいて信号波形Ｗ等を表示させるための表示用データを生成し、生成した表示用データを表示部４に出力することで波形表示画面１１（信号波形Ｗおよび文字情報ｉ等）を表示部４に表示させる。記憶部６は、制御部５の演算結果や、上記の波形データＤなどを記憶する。
【００２４】
次に、波形表示装置１による信号波形Ｗの表示処理（波形表示方法）について、添付図面を参照して説明する。
【００２５】
まず、図示しない信号ケーブルを用いて測定部２の各測定チャンネルの信号入力端子（図示せず）と観察対象とを相互に接続する。次いで、操作部３の操作スイッチを操作して図示しない動作条件設定画面を表示部４に表示させ、測定部２の各測定チャンネル毎に、Ｌｏｗアクティブの入力信号Ｓ（Ｌｏｗ（ロー）レベル＝「Active」で、Ｈｉ（ハイ）レベル＝「Disable 」として送受信される信号）、およびＨｉアクティブの入力信号Ｓ（Ｈｉレベル＝「Active」で、Ｌｏｗレベル＝「Disable 」として送受信される信号）のいずれが入力されるかをそれぞれ設定する。この際には、一例として、ＣＨ１，ＣＨ４の測定チャンネルに入力される入力信号ＳがＨｉアクティブで、ＣＨ２，ＣＨ３の測定チャンネルに入力される入力信号ＳがＬｏｗアクティブであると設定する。また、この設定作業時には、「Ｈｉレベルに上昇した」と判別するしきい値、および「Ｌｏｗレベルに低下した」と判別するしきい値を各入力信号Ｓ毎にそれぞれ設定する。
【００２６】
この場合、本例の波形表示装置１では、上記のように設定することにより、ＣＨ１，ＣＨ４に入力される入力信号Ｓ１，Ｓ４に基づく信号波形Ｗ１，Ｗ４に関しては、「入力信号Ｓの信号レベルがＬｏｗレベルからＨｉレベルに上昇する」との条件が「条件Ａ」として設定され、かつ、ＣＨ２，ＣＨ３に入力される入力信号Ｓ２，Ｓ３に基づく信号波形Ｗ２，Ｗ３に関しては、「入力信号Ｓの信号レベルがＨｉレベルからＬｏｗレベルに低下する」との条件が「条件Ｂ」として設定される。
【００２７】
続いて、操作部３の操作スイッチを操作して上記の動作条件設定画面を閉じる（設定した条件を確定させる）。これに応じて、制御部５が信号波形Ｗの表示処理を開始する。具体的には、制御部５は、測定部２を制御して測定処理を開始させると共に、測定部２から出力される波形データＤを記憶部６に記憶させ、かつ記憶させた波形データＤに基づいて表示用データを生成して表示部４に出力する。これにより、図２に示すように、各入力信号Ｓに基づく信号波形Ｗ１〜Ｗ４が表示された波形表示領域１２が表示部４の波形表示画面１１内に表示される。なお、この例では、動作条件設定画面を閉じた時点において、入力信号Ｓ１，Ｓ４がＬｏｗレベルで、入力信号Ｓ２，Ｓ３がＨｉレベルの状態（入力信号Ｓ１〜Ｓ４がいずれも「Disable 」の状態）となっている。また、実際の波形表示装置１では、一例として、信号波形Ｗ１〜Ｗ４を互いに相違する表示色で表示させると共に、対応する文字情報ｉを信号波形Ｗの表示色と同色で表示させる構成・方法が採用されているが、信号波形Ｗおよび文字情報ｉの表示に関する理解を容易とするために、表示色の相異に関する説明を省略する。
【００２８】
この場合、本例の波形表示装置１では、波形表示画面１１に表示される信号波形Ｗに上記の「条件Ａ」や「条件Ｂ」を満たす部位が存在しないときに、一例として、その信号波形Ｗに対応する文字情報ｉを波形表示領域１２の左端部（波形表示領域１２内における時間軸方向の最先の位置）に表示させる構成・表示方法が採用されている。なお、信号波形Ｗに上記の「条件Ａ」や「条件Ｂ」を満たす部位が存在しないときに文字情報ｉを表示させる位置については、上記の例に限定されず、波形表示領域１２の右端部（波形表示領域１２内における時間軸方向の最新の位置）や、波形表示領域１２の中央部（波形表示領域１２内における時間軸方向の中央部）などに表示させる構成・方法を採用することができる。
【００２９】
また、本例の波形表示装置１では、前述した動作条件の設定において「Ｈｉアクティブ」と設定された入力信号Ｓの測定チャンネル（この例では、ＣＨ１，ＣＨ４）のチャンネル番号を示す文字情報ｉ（この例では、文字情報ｉ１，ｉ４）の文字列に上線が付されると共に、「Ｌｏｗアクティブ」と設定された入力信号Ｓの測定チャンネル（この例では、ＣＨ２，ＣＨ３）のチャンネル番号を示す文字情報ｉ（この例では、文字情報ｉ２，ｉ３）の文字列に下線が付される構成・方法が採用されている。
【００３０】
さらに、本例の波形表示装置１では、前述した動作条件の設定において「Ｈｉアクティブ」と設定された入力信号ＳがＬｏｗレベルのとき、および「Ｌｏｗアクティブ」と設定された入力信号ＳがＨｉレベルのとき、すなわち、入力信号Ｓが「Disable 」の状態のときに、その入力信号Ｓの測定チャンネルのチャンネル番号を示す文字情報ｉが反転表示される構成・方法が採用されている。なお、同図および後に参照する図３〜６や図７においては、通常表示の文字情報ｉを白地に黒文字で示すと共に、反転表示の文字情報ｉを黒地に白文字で示している。
【００３１】
一方、所定時間が経過して、例えば入力信号Ｓ１の信号レベルがＬｏｗレベルからＨｉレベルに上昇したとき（「Disable 」の状態から「Active」の状態に変化したとき）には、図３に示すように、制御部５は、ＬｏｗレベルからＨｉレベルに変化する信号波形Ｗ１を波形表示領域１２内に表示させる。また、制御部５は、入力信号Ｓ１に関する文字情報ｉ１を反転表示から通常表示に切り替えて、信号波形Ｗ１におけるＬｏｗレベルからＨｉレベルへの変化部位（「条件Ａを満たす部位」の一例）の左横に表示させる（「表示処理Ａ」の一例）。これにより、波形表示画面１１を見た利用者に対して、ＬｏｗレベルからＨｉレベルに変化した信号波形Ｗが「ＣＨ１」の測定チャンネルで処理された入力信号Ｓ１に基づく信号波形Ｗ１であり、かつ、入力信号Ｓ１が「Active」の状態に移行した旨を、変化部位から大きく視線を移動させることなく認識させることができる。
【００３２】
この場合、本例の波形表示装置１では、信号波形Ｗに上記の「条件Ａ」を満たす部位、または、「条件Ｂ」を満たす部位が存在するときに、その条件を満たす部位の右横に文字情報ｉを表示させ、条件を満たす部位の右横に文字情報ｉを表示させるスペースが存在しないときには条件を満たす部位の左横に文字情報ｉを表示させ、条件を満たす部位の左横にも文字情報ｉを表示させるスペースが存在しないときには条件を満たす部位の上に文字情報ｉを表示させ、条件を満たす部位の上にも文字情報ｉを表示させるスペースが存在しないときには条件を満たす部位の下に文字情報ｉを表示させる構成が採用されている（「表示位置Ａ」および「表示位置Ｂ」が信号波形Ｗの状態に応じて変化する構成・表示方法の例）。
【００３３】
したがって、図３に示すように、信号波形Ｗ１において「条件Ａ」を満たす部位の右横に文字情報ｉ１を表示させるスペースが存在しないことで、条件を満たす部位の左横を「表示位置Ａ」として文字情報ｉ１を表示させている状態から所定時間が経過して、図４に示すように、信号波形Ｗ１において「条件Ａ」を満たす部位の右横に文字情報ｉ１を表示させるスペースが生じたときには、制御部５は、信号波形Ｗ１におけるＬｏｗレベルからＨｉレベルへの変化部位（条件を満たす部位）の右横に表示させる。これにより、この状態においても、波形表示画面１１を見た利用者に対して、ＬｏｗレベルからＨｉレベルに変化した信号波形Ｗが「ＣＨ１」の測定チャンネルで処理された入力信号Ｓ１に基づく信号波形Ｗ１である旨を、変化部位から大きく視線を移動させることなく認識させることができる。
【００３４】
また、この波形表示装置１では、さらに時間が経過して、図５に示すように、信号波形ＷにおけるＬｏｗレベルからＨｉレベルへの変化部位（条件を満たす部位）が波形表示領域１２内の右側（時間軸方向における最新の位置）から左側（時間軸方向における最先の位置）に向かって移動したときには、この信号波形Ｗの変化部位と共に文字情報ｉが変化部位の右側に表示されたまま波形表示領域１２内を移動させられる。したがって、この状態においても、波形表示画面１１を見た利用者に対して、ＬｏｗレベルからＨｉレベルに変化した信号波形Ｗが「ＣＨ１」の測定チャンネルで処理された入力信号Ｓ１に基づく信号波形Ｗ１である旨を、変化部位から大きく視線を移動させることなく認識させることができる。
【００３５】
また、入力信号Ｓ２，Ｓ３の信号レベルがＨｉレベルからＬｏｗレベルに低下し、入力信号Ｓ４がＬｏｗレベルからＨｉレベルに上昇したときには、制御部５は、同図に示すように、ＨｉレベルからＬｏｗレベルに変化する信号波形Ｗ２，Ｗ３、およびＬｏｗレベルからＨｉレベルに変化する信号波形Ｗ４を波形表示領域１２内にそれぞれ表示させる。
【００３６】
この場合、同図に示す例では、信号波形Ｗ２におけるＨｉレベルからＬｏｗレベルへの変化部位（「条件Ｂを満たす部位」の一例）の右横に文字情報ｉ２を表示させるスペースが存在しないため、信号波形Ｗ２における変化部位の左横に入力信号Ｓ２に関する文字情報ｉ２を表示させ（「表示処理Ｂ」の一例）、信号波形Ｗ３におけるＨｉレベルからＬｏｗレベルへの変化部位（「条件Ｂを満たす部位」の他の一例）の右横に入力信号Ｓ３に関する文字情報ｉ３を表示させ（「表示処理Ｂ」の他の一例）、かつ信号波形Ｗ４におけるＬｏｗレベルからＨｉレベルへの変化部位（「条件Ａを満たす部位」の他の一例）の右横に文字情報ｉ４を表示させるスペースが存在しないため、信号波形Ｗ４における変化部位の左横に入力信号Ｓ４に関する文字情報ｉ４を表示させている（「表示処理Ａ」の他の一例）。したがって、同図における例においても、変化部位が存在する信号波形Ｗが、「ＣＨ２」の測定チャンネルで処理された入力信号Ｓ２に基づく信号波形Ｗ２、「ＣＨ３」の測定チャンネルで処理された入力信号Ｓ３に基づく信号波形Ｗ３、および「ＣＨ４」の測定チャンネルで処理された入力信号Ｓ４に基づく信号波形Ｗ４である旨を、各変化部位から大きく視線を移動させることなく認識させることができる。
【００３７】
一方、さらに時間が経過して、図６に示すように、波形表示領域１２内の信号波形Ｗ１の全体がＨｉレベルの部位だけとなったときに、制御部５は、波形表示領域１２内における信号波形Ｗ１の「条件Ａ」を満たす部位の最先の位置、すなわち、波形表示領域１２内の左寄りの位置に文字情報ｉ１を表示させる。したがって、この例においても、その全体がＨｉレベルとなっている信号波形Ｗが「ＣＨ１」の測定チャンネルで処理された入力信号Ｓ１に基づく信号波形Ｗ１である旨を容易に認識させることができる。
【００３８】
また、入力信号Ｓ２がＬｏｗレベルからＨｉレベルに変化したときには、制御部５は、同図に示すように、ＬｏｗレベルからＨｉレベルに変化する信号波形Ｗ２を波形表示領域１２内に表示させる。この場合、同図に示す例のように、波形表示領域１２内の信号波形Ｗ２にＬｏｗレベルからＨｉレベルに変化する変化部位が存在し、かつ、ＨｉレベルからＬｏｗレベルに変化する変化部位が存在しないときには、制御部５は、信号波形Ｗ２におけるＬｏｗレベルからＨｉレベルへの変化部位の右側に文字情報ｉ２を反転表示させる。これにより、波形表示画面１１を見た利用者に対して、ＬｏｗレベルからＨｉレベルに変化した信号波形Ｗが「ＣＨ２」の測定チャンネルで処理された入力信号Ｓ２に基づく信号波形Ｗ２であり、かつ、入力信号Ｓ２が「Disable 」の状態に移行した旨を、変化部位から大きく視線を移動させることなく認識させることができる。
【００３９】
また、同図に示す例のように、信号波形Ｗ３において「条件Ｂ」を満たす部位（ＨｉレベルからＬｏｗレベルに変化する部位）が複数存在するときに、制御部５は、複数の「条件Ｂを満たす部位」のうちの最先の「条件Ｂを満たす部位」の近傍を「表示位置Ｂ」として文字情報ｉ３を表示させる。これにより、時間軸方向に沿って（時間軸方向における最先の位置、すなわち、波形表示領域１２の左側から、時間軸方向における最新の位置、すなわち、波形表示領域１２の右側に向かって）信号波形Ｗ３を視認することで、その信号波形Ｗが「ＣＨ３」の測定チャンネルで処理された入力信号Ｓ３に基づく信号波形Ｗ３であることを短時間で容易に特定することができる。なお、いずれかの信号波形Ｗにおいて「条件Ａ」を満たす部位（ＬｏｗレベルからＨｉレベルに変化する部位）が複数存在するときにも、制御部５は、この複数の「条件Ａを満たす部位」のうちの最先の「条件Ａを満たす部位」の近傍を「表示位置Ａ」として文字情報ｉを表示させる（図示せず）。
【００４０】
さらに、同図に示すように、入力信号Ｓ４がＨｉレベルとＬｏｗレベルとの間で小刻みに変化していることで、信号波形Ｗ４における各変化部位の左横および右横の双方に文字情報ｉ４を表示させるスペースが存在しないときに、制御部５は、信号波形Ｗ４においてＬｏｗレベルからＨｉレベルに変化する複数の変化部位（「条件Ａを満たす部位」の他の一例）のうちの時間軸方向における最先の部位、すなわち、各変化部位のうちの最も左側の変化部位の上に入力信号Ｓ４に関する文字情報ｉ４を表示させる。したがって、このような例においても、変化部位が存在する信号波形Ｗが、「ＣＨ４」の測定チャンネルで処理された入力信号Ｓ４に基づく信号波形Ｗ４である旨を、変化部位から大きく視線を移動させることなく認識させることができる。
【００４１】
なお、図示を省略するが、例えば、入力信号Ｓ１がＨｉレベルとＬｏｗレベルとの間で小刻みに変化していることで、信号波形Ｗ１を図６に示す信号波形Ｗ４のように変化させて表示させる場合には、信号波形Ｗ１における各変化部位の上側にも文字情報ｉ１を表示させるスペースが存在しないため、制御部５は、信号波形Ｗ１においてＬｏｗレベルからＨｉレベルに変化する複数の変化部位（「条件Ａを満たす部位」のさらに他の一例）のうちの時間軸方向における最先の部位、すなわち、各変化部位のうちの最も左側の変化部位の下に入力信号Ｓ１に関する文字情報ｉ１を表示させる。したがって、このような例においても、変化部位が存在する信号波形Ｗが、「ＣＨ１」の測定チャンネルで処理された入力信号Ｓ１に基づく信号波形Ｗ１である旨を、変化部位から大きく視線を移動させることなく認識させることができる。
【００４２】
このように、この波形表示装置１、および波形表示装置１による波形表示方法によれば、波形表示画面１１に表示させる信号波形Ｗにおいて「条件Ａ」を満たす部位が存在するときに「条件Ａ」を満たす部位の近傍の予め規定された「表示位置Ａ」に入力信号Ｓに関する文字情報ｉを表示させる「表示処理Ａ」と、波形表示画面１１に表示させる信号波形Ｗにおいて「条件Ｂ」を満たす部位が存在するときに「条件Ｂ」を満たす部位の近傍の予め規定された「表示位置Ｂ」に入力信号Ｓに関する文字情報ｉを表示させる「表示処理Ｂ」とのうちの少なくとも一方（本例では、双方）を実行することにより、信号波形Ｗにおける「条件Ａ」を満たす部位や、信号波形Ｗにおける「条件Ｂ」を満たす部位が波形表示画面１１内（波形表示領域１２内）のいずれに位置したとしても、この「条件Ａ」を満たす部位や「条件Ｂ」を満たす部位の近傍に文字情報ｉが表示されるため、信号波形Ｗにおいて「条件Ａ」を満たす部位や「条件Ｂ」を満たす部位から大きく視線を移動させることなく文字情報ｉを視認させることができる結果、信号波形Ｗと文字情報ｉとの関連付けを誤認させることなく、これらを容易に認識させることができる。
【００４３】
また、この波形表示装置１、および波形表示装置１による波形表示方法によれば、「表示処理Ａ」に際して波形表示画面１１に表示させる信号波形Ｗに「条件Ａ」を満たす部位が複数存在するときに複数の部位のうちの時間軸方向における最先の部位の近傍に文字情報ｉを表示させ、「表示処理Ｂ」に際して波形表示画面１１に表示させる信号波形Ｗに「条件Ｂ」を満たす部位が複数存在するときに複数の部位のうちの時間軸方向における最先の部位の近傍に文字情報ｉを表示させることにより、時間軸方向の最先の位置から最新の位置に向かって信号波形Ｗを視認することが多い波形表示画面１１において、信号波形Ｗと文字情報ｉとの関係をスムーズに認識させることができる。
【００４４】
なお、「波形表示装置」の構成、および「波形表示方法」の内容については、上記の波形表示装置１の構成、および波形表示装置１による波形表示方法の内容に限定されない。例えば、対応する入力信号Ｓが「Disable 」の状態のときに、文字情報ｉを反転表示させる構成・方法を例に挙げて説明したが、このような構成・方法に代えて、対応する入力信号Ｓが「Disable 」の状態のときに、文字情報ｉを淡色表示させる構成・方法や、対応する入力信号Ｓが「Active」の状態、および「Disable 」の状態のいずれか予め規定した一方のときに、文字情報ｉを点滅表示させる構成・方法を採用することもできる。このような構成・方法を採用した場合においても、「Disable 」の状態のときに、文字情報ｉを反転表示させる上記の例と同様にして、文字情報ｉを視認した利用者に、対応する入力信号Ｓが「Active」の状態、および「Disable 」の状態のいずれであるかを確実かつ容易に認識させることができる。
【００４５】
また、「表示対象信号に基づく信号波形」の一例として、ＨｉレベルおよびＬｏｗレベルの２値の制御信号（ロジック信号）に基づく信号波形Ｗ１〜Ｗ４（ロジック波形）を表示させる例について説明したが、測定対象についての物理量（電圧値、電流値、抵抗値、電力値、位相、温度、湿度、輝度（光度）、照度、雨量および流量等）の信号（アナログ信号：以下、「入力信号Ｓ」ともいう）を「表示対象信号」として測定し、図７に示すように、その入力信号Ｓに基づく信号波形Ｗ１ａ，Ｗ２ａを波形表示画面１１内の波形表示領域１２に表示させる構成・方法を採用することもできる。なお、入力信号Ｓに基づいて信号波形Ｗ１ａ，Ｗ２ａを表示させる構成は、上記の波形表示装置１の構成と同様のため、その図示および説明を省略する。
【００４６】
この場合、以下の説明においては、一例として、一点鎖線Ｌ１で示す信号レベルが「第１信号レベル」に相当し、かつ、二点鎖線Ｌ２で示す信号レベルが「第２信号レベル」に相当すると共に、一例として、信号波形Ｗ１ａの基となる入力信号Ｓの信号レベルが一点鎖線Ｌ１で示す信号レベル以上に上昇するとの条件が「第１条件」に相当し、かつ、信号波形Ｗ１ｂの基となる入力信号Ｓの信号レベルが二点鎖線Ｌ２で示す信号レベル以下に低下するとの条件が「第２条件」に相当するものとする。したがって、同図に示す例では、信号波形Ｗ１ａにおいて一点鎖線Ｌ１以上のレベルとなる部位（矢印Ｐ１で示す部位）が「第１条件を満たす部位」に相当すると共に、信号波形Ｗ２ａにおいて二点鎖線Ｌ２以下のレベルとなる部位（矢印Ｐ２で示す部位）が「第２条件を満たす部位」に相当する。なお、上記の「第１信号レベル（一点鎖線Ｌ１で示す信号レベル）」や、「第２信号レベル（二点鎖線Ｌ２で示す信号レベル）」については、一例として、信号波形Ｗ１ａ，Ｗ２ａの表示処理に先立ち、図示しない動作条件設定画面を表示させた状態において利用者が任意に設定することができる。
【００４７】
また、アナログ信号（入力信号Ｓ）に基づく信号波形Ｗ１ａ，Ｗ２ａ（以下、区別しないときには「信号波形Ｗ」ともいう）を表示させる波形表示装置および波形表示方法では、波形表示画面１１に表示される信号波形Ｗに上記の「第１条件」や「第２条件」を満たす部位が存在しないときに、一例として、その信号波形Ｗに対応する文字情報ｉを波形表示領域１２の左端部（波形表示領域１２内における時間軸方向の最先の位置）に表示させる構成・方法が採用されている（図示せず）。なお、信号波形Ｗに上記の「第１条件」や「第２条件」を満たす部位が存在しないときに文字情報ｉを表示させる位置については、上記の例に限定されず、波形表示領域１２の右端部（波形表示領域１２内における時間軸方向の最新の位置）や、波形表示領域１２の中央部（波形表示領域１２内における時間軸方向の中央部）などに表示させる構成・方法を採用することができる。
【００４８】
さらに、アナログ信号（入力信号Ｓ）に基づく信号波形Ｗを表示させる波形表示装置および表示方法では、信号波形Ｗに上記の「第１条件」を満たす部位、または「第２条件」を満たす部位が存在するときに、一例として、「第１表示処理」、または「第２表示処理」として、条件を満たす部位の右横に文字情報ｉを表示させる処理を実行し、条件を満たす部位の右横に文字情報ｉを表示させるスペースが存在しないときには条件を満たす部位の左横に文字情報ｉを表示させる処理を実行し、条件を満たす部位の左横にも文字情報ｉを表示させるスペースが存在しないときには条件を満たす部位の上に文字情報ｉを表示させる処理を実行し、条件を満たす部位の上にも文字情報ｉを表示させるスペースが存在しないときには条件を満たす部位の下に文字情報ｉを表示させる処理を実行する構成・方法が採用されている（「第１表示位置」および「第２表示位置」が信号波形Ｗの状態に応じて変化する構成・表示方法の例）。
【００４９】
したがって、同図に示す例では、信号波形Ｗ１ａ，Ｗ２ａにおける「条件を満たす部位」の右横（「第１表示位置」および「第２表示位置」一例）に文字情報ｉ１，ｉ２がそれぞれ表示される。これにより、波形表示画面１１を見た利用者に対して、一点鎖線Ｌ１以上に信号レベルが上昇した信号波形Ｗが「ＣＨ１」の測定チャンネルで処理された入力信号Ｓに基づく信号波形Ｗ１ａである旨、および二点鎖線Ｌ２以下に信号レベルが低下した信号波形Ｗが「ＣＨ２」の測定チャンネルで処理された入力信号Ｓに基づく信号波形Ｗ２ａである旨を、変化部位から大きく視線を移動させることなく認識させることができる。
【００５０】
また、同図に示す例とは相異するが、信号波形Ｗ１ａにおいて「第１条件」を満たす部位（入力信号Ｓが一点鎖線Ｌ１のレベル以上に上昇するとの条件を満たす部位）が複数存在するときに、制御部５は、複数の「第１条件を満たす部位」のうちの最先の「第１条件を満たす部位」の近傍を「第１表示位置」として文字情報ｉ１を表示させる（図示せず）。同様にして、信号波形Ｗ１ｂにおいて「第２条件」を満たす部位（入力信号Ｓが二点鎖線Ｌ２のレベル以下に低下するとの条件を満たす部位）が複数存在するときに、制御部５は、複数の「第２条件を満たす部位」のうちの最先の「第２条件を満たす部位」の近傍を「第２表示位置」として文字情報ｉ２を表示させる（図示せず）。
【００５１】
これにより、時間軸方向に沿って（時間軸方向における最先の位置、すなわち、波形表示領域１２の左側から、時間軸方向における最新の位置、すなわち、波形表示領域１２の右側に向かって）信号波形Ｗ１ａを視認することで、その信号波形Ｗが「ＣＨ１」の測定チャンネルで処理された入力信号Ｓに基づく信号波形Ｗ１ａであることを短時間で容易に特定することができる。また、時間軸方向に沿って信号波形Ｗ２ａを視認することで、その信号波形Ｗが「ＣＨ２」の測定チャンネルで処理された入力信号Ｓに基づく信号波形Ｗ２ａであることを短時間で容易に特定することができる。
【００５２】
このような構成を採用した波形表示装置、およびその波形表示方法によれば、波形表示画面１１に表示させる信号波形Ｗにおいて「第１条件」を満たす部位が存在するときに「第１条件」を満たす部位の近傍の予め規定された「第１表示位置」に入力信号Ｓに関する文字情報ｉを表示させる「第１表示処理」と、波形表示画面１１に表示させる信号波形Ｗにおいて「第２条件」を満たす部位が存在するときに「第２条件」を満たす部位の近傍の予め規定された「第２表示位置」に入力信号Ｓに関する文字情報ｉを表示させる「第２表示処理」とのうちの少なくとも一方（上記の例では、双方）を実行することにより、信号波形Ｗにおける「第１条件」を満たす部位や、信号波形Ｗにおける「第２条件」を満たす部位が波形表示画面１１内（波形表示領域１２内）のいずれに位置したとしても、この「第１条件」を満たす部位や「第２条件」を満たす部位の近傍に文字情報ｉが表示されるため、信号波形Ｗにおいて「第１条件」を満たす部位や「第２条件」を満たす部位から大きく視線を移動させることなく文字情報ｉを視認させることができる結果、信号波形Ｗと文字情報ｉとの関連付けを誤認させることなく、これらを容易に認識させることができる。
【００５３】
また、このような構成を採用した波形表示装置、およびその波形表示方法によれば、「第１表示処理」に際して波形表示画面１１に表示させる信号波形Ｗに「第１条件」を満たす部位が複数存在するときに複数の部位のうちの時間軸方向における最先の部位の近傍に文字情報ｉを表示させ、「第２表示処理」に際して波形表示画面１１に表示させる信号波形Ｗに「第２条件」を満たす部位が複数存在するときに複数の部位のうちの時間軸方向における最先の部位の近傍に文字情報ｉを表示させることにより、時間軸方向の最先の位置から最新の位置に向かって信号波形Ｗを視認することが多い波形表示画面１１において、信号波形Ｗと文字情報ｉとの関係をスムーズに認識させることができる。
【００５４】
さらに、測定部２の測定チャンネルの番号を示す「ＣＨ１」〜「ＣＨ４」の文字列からなる文字情報ｉ１〜ｉ４，ｉ１，ｉ２（測定チャンネル番号表示）を「文字情報」として表示させる構成を例に挙げて説明したが、「表示対象信号に関する文字情報」はこれに限定されず、一例として、「信号線１」および「配電盤Ａ」のように入力信号Ｓを取り出した場所の名称を示す文字列を「文字情報」として表示させたり、「入口センサ」および「出口センサ」のように、入力信号Ｓの基となる信号の出力先（または入力先）の名称を示す文字列を「文字情報」として表示させたりすることができる。
【００５５】
また、測定部２を一体的に備えた波形表示装置１を例に挙げて説明したが、波形表示装置の構成はこれに限定されず、外部装置としての測定装置によって生成された波形データＤに基づく信号波形Ｗを表示させる構成（図示せず）を採用することもできる。さらに、表示部４を一体的に備えた波形表示装置１を例に挙げて説明したが、波形表示装置の構成はこれに限定されず、外部装置としての表示装置に信号波形Ｗを表示させる構成（図示せず）を採用することもできる。
【符号の説明】
【００５６】
１  波形表示装置
４  表示部
５  制御部
６  記憶部
１１  波形表示画面
１２  波形表示領域
Ｄ１〜Ｄ４  波形データ
ｉ１〜ｉ４  文字情報
Ｓ１〜Ｓ４  入力信号
Ｗ１〜Ｗ４，Ｗ１ａ，Ｗ２ａ  信号波形
【図１】
2014066627.tif 000003
【図２】
2014066627.tif 000004
【図３】
2014066627.tif 000005
【図４】
2014066627.tif 000006
【図５】
2014066627.tif 000007
【図６】
2014066627.tif 000008
【図７】
2014066627.tif 000009
【図８】
2014066627.tif 000010